(57)【特許請求の範囲】
【請求項１】
板状部材を切欠して形成された導入溝と、
この導入溝の基端と近接した開口部と、
前記導入溝の基端と開口部との間に挟まれ、導入溝に針がかりした魚の釣糸を通して釣針を掛止可能な掛止部とを備え、
前記開口部は釣針を掛止部に掛止した状態で釣針のちもと部側を開口部に押し込み可能な大きさとした釣針外し部材。
【請求項２】
枠体と、
前記枠体の内側に付設された天板と、
前記天板に設けられた釣針外し部材と、
を備えた釣針外し具であって、
前記釣針外し部材は板状に形成され、
先端を拡開した導入溝と、
この導入溝の基端と近接した開口部と、
前記導入溝の基端と開口部との間に挟まれた掛止部とを有することを特徴とする釣針外し具。
【請求項３】
線材を用いて円形状に形成された枠体と、
この枠体を担持すると共に、収納時に枠体の内側に可倒可能な脚部と、
前記枠体の内側に付設され、かつ、枠体の内側に鋭角の切欠部を有する天板と、
前記切欠部に沿って貼設された釣針外し部材と、
を備えた釣針外し具であって、
前記釣針外し部材は板状に形成され、
先端を前記天板の切欠部に沿って拡開した導入溝と、
前記導入溝の基端と近接した円孔の開口部と、
前記導入溝の基端と開口部との間に挟まれた掛止部とを有することを特徴とする釣針外し具。
【発明の詳細な説明】
【０００１】
【発明の属する技術分野】
本発明は、針がかりした魚の釣針を片手で容易に外すことができる釣針外し部材及びそれを装着した釣針外し具に関する。
【０００２】
【従来の技術】
従来、釣針外し具としては、図６（イ）に示すような棒１Ａの先端に円孔２Ａ，３Ａが設けられたタイプの釣針外し具が提案されている。
このタイプの釣針外し具は、一方の手で魚を掴んで口を開き、他方の手で棒１Ａの先端の円孔２Ａまたは３Ａに糸を通した後、その円孔２Ａまたは３Ａを糸に摺動させて釣針の軸まで誘導し、棒１Ａをこじるようにして釣針を外すものである。
また、魚の口に針がかりしている場合の釣針外し具としては、図６（ロ）に示すような棒１Ｂの先端に半円形状の線材２Ｂが挿設されたタイプの釣針外し具が提案されている。
このタイプの釣針外し具は、棒１Ｂを一方の手で持ち、他方の手で魚を懸吊した状態で線材２Ｂの小湾曲部３Ｂに魚の口に針がかりしている釣針を掛止することにより、魚の自重と魚の暴れる動きを利用して釣針を外すものである。
【０００３】
【発明が解決しようとする課題】
しかしながら、上記従来の釣針外し具のうち前者においては、魚に釣針を飲み込まれた場合には使用できるが、魚の口に針がかりした場合には使い難く、手で外さなければならなかった。さらに、魚を手で掴むと特有の臭いやヌメリが手に付着するため、その都度手を洗わなければならず、良く釣れている時にはその作業が煩わしいという問題点があった。
【０００４】
一方、後者においては、魚を懸吊した状態で釣針を線材の小湾曲部に掛止する構造上、魚の臭いやヌメリが手に付着するという問題は生じないが、釣針が外れるまでの間、一方の手で棒を持ち、他方の手で魚を懸吊した状態で保持し続けなければならない上、魚が暴れて釣針が外れた場合には、怪我をする恐れがあるという問題点があった。
さらに、上記従来の釣針り外し具は片手で作業が行えない上、釣糸が魚の鰓や釣針外し具自体に絡みやすいという問題点があった。
【０００５】
本発明は、上記従来の釣針外し具に内在する課題を解決して、魚の口に針がかりした釣針を魚に触れることなく片手で安全に素早く外すことができる釣針外し部材及びそれを装着した釣針外し具を提供することを目的とする。
【０００６】
【課題を解決するための手段】
上記目的を達成するために、本発明の請求項１記載の釣針外し部材は、板状部材を切欠して形成された導入溝と、この導入溝の基端と近接した開口部と、前記導入溝の基端と開口部との間に挟まれ、導入溝に針がかりした魚の釣糸を通して釣針を掛止可能な掛止部とを備え、前記開口部は釣針を掛止部に掛止した状態で釣針のちもと部側を開口部に押し込み可能な大きさとした。
【０００７】
請求項２記載の釣針外し具では、枠体と、前記枠体の内側に付設された天板と、前記天板に設けられた釣針外し部材と、を備えた釣針外し具であって、前記釣針外し部材は板状に形成され、先端を拡開した導入溝と、この導入溝の基端と近接した開口部と、前記導入溝の基端と開口部との間に挟まれた掛止部とを有することを特徴とする。
【０００８】
請求項３記載の釣針外し具では、線材を用いて円形状に形成された枠体と、この枠体を担持すると共に、収納時に枠体の内側に可倒可能な脚部と、前記枠体の内側に付設され、かつ、枠体の内側に鋭角の切欠部を有する天板と、前記切欠部に沿って貼設された釣針外し部材と、を備えた釣針外し具であって、前記釣針外し部材は板状に形成され、先端を前記天板の切欠部に沿って拡開した導入溝と、前記導入溝の基端と近接した円孔の開口部と、前記導入溝の基端と開口部との間に挟まれた掛止部とを有することを特徴とする。
【０００９】
【発明の実施の形態】
以下、本発明の実施の形態を図面に基づいて説明する。
<実施の形態１>
図１は本発明の実施の形態１の釣針外し具の斜視図、図２は本実施の形態の釣針外し具の平面図、図３は本実施の形態の釣針外し具の正面図である。なお、図中左右上下において対称のものについては同一の符号を付す。
【００１０】
図１〜３に示すように、本実施の形態の釣針外し具Ａは、枠体１と、脚部２と、天板３と、釣針外し部材４とを主要な構成としている。
【００１１】
枠体１は、例えばステンレスあるいは鋼の線材を用いて直径が３５ｍｍ程度の円形状に形成され、釣人が椅子に座った状態で両足間に設置できる大きさとなっている。
【００１２】
脚部２は、前記枠体１と同一素材を用いて棒状に形成され、バケツやクーラーなどの回収容器５を枠体１の下に設置できる長さを有し、枠体１を４カ所で担持している。また、脚部２は収納時には図３の矢印で示す枠体１の内側方向に可倒可能となっている。なお、６は脚部２と回収容器５を締結したり、回収用器５をビニール袋などで代用する際に掛止しておくためのフックである。
【００１３】
天板３は、プラスチックなどの軽量で加工し易い素材を用いて扇形状に形成され、枠体１の内側に鋭角の切欠部１ａを有して付設されている。
【００１４】
釣針外し部材４は、ステンレスあるいは鋼を用いて２ｍｍ程度の厚みで板状に形成され、先端を前記天板３の切欠部１ａに沿って拡開した導入溝７が形成されている。
また、前記導入溝７の奥には、直径が２０ｍｍ程度の円孔８が穿設され、この円孔８の基端に近接して円孔の開口部９が穿設され、これら円孔８と開口部９との間に２ｍｍ程度の幅を有する掛止部１０が設けられている。
【００１５】
以下、図４に基づいて本実施の形態の釣針外し具Ａの使用方法について説明する。図４（イ）は針がかりした魚を取り込む前の作業を説明する図、図４（ロ）〜（ニ）は図４（イ）のｘ−ｘ方向における魚を取り込んだ後の作業を説明する図である。なお、図４（イ）〜（ニ）の作業は一方の手で竿を保持したまま、他方の手のみで行うものとする。
【００１６】
釣人は、例えば波止場などのサビキ釣の際に釣針外し具Ａの脚部２を収納した状態で携帯し、釣場で釣針外し具Ａの脚部２を開いて設置した後、枠体１の下に氷の入ったバケツあるいはクーラーなどの回収容器５を設置する。
【００１７】
次に、椅子に座って釣針外し具Ａを両足間に設置した状態で釣りを行う。
魚を釣り上げると一方の手で竿を保持したまま、他方の手で釣糸１１を手繰り寄せて図４（イ）に示すように魚を懸吊した状態で枠体１の内側に入れる。
【００１８】
次に、釣糸１１を天板の切欠部１ａに摺動させながら釣針外し部材４の導入溝へ７誘導し、図４（ロ）で示すように掛止部１０に針がかりした魚の釣針１２を掛止する。
【００１９】
次に、図４（ハ）で示すように釣糸１１を図中左側に傾倒すると、釣針１２が図中反時計回り方向に回転し、釣針１１の先端が図中下側を向く。
【００２０】
次に、図４（ニ）で示すように釣針１２の軸１３を矢印で示す方向に指で押下すると、釣針１２がさらに回転して魚の自重によって魚の口から釣針１２が外れ、枠体１の下に設置した回収容器５の中へ魚が落下する。なお、魚が暴れた場合や針がかりが浅い場合には図４（ハ）の状態で魚が外れる。
【００２１】
次に、本実施の形態の釣針外し具Ａの効果を説明する。
本実施の形態の釣針外し具Ａは、枠体１が円形状に形成されているため、椅子に座った状態で両足間で作業し易い。
【００２２】
また、脚部２の下に適宜の回収容器５を設置できると共に、この脚部２に取り付けられたフック６を回収容器５と締結することにより風が強い日にも対応可能である。さらに、脚部２は枠体１の内側に収納可能であるため、携帯性に優れている。
【００２３】
天板３の切欠部１ａは、魚を釣針外し部材４の導入溝７まで容易に誘導できる。
また、導入溝７の基端は円孔８によって円形状になっているため、円孔８に導いた魚が暴れた場合に導入溝７の方へ飛び出すのを防止できる。
【００２４】
さらに、釣針１２を掛止部１０に掛止させると、釣針１２の先端が下側に向くと共に、魚が天板３と釣針外し部材４に隠れるため、釣針１２の先端や魚の鰓や鰭によって手に怪我をする恐れがなく、子供や女性でも一連の作業を片手で容易に行える。
【００２５】
<実施の形態２>
次に、図５に基づいて実施の形態２の釣針外し具Ｂについて詳細に説明する。
本実施の形態の釣針外し具Ｂは、前記実施の形態１の釣針外し部材４の他の例である。
図５は本実施の形態２の釣針外し具Ｂを示す平面図である。なお、前記実施の形態１と同一の構成部分については同一の符号を付し、図中左右上下において対称のものについては同一の符号を付してその説明は省略する。
【００２６】
本実施の形態の釣針外し具Ｂの天板１４は、プラスチックなどの軽量で加工し易い素材を用いて三日月状に形成され、枠体１の内側に付設されている。
【００２７】
釣針外し部材１５は、ステンレスあるいは鋼を用いて２ｍｍ程度の厚みで板状に形成され、前記天板１４と貼設されている。
【００２８】
また、前記釣針外し部材１５は、先端が拡開した導入溝１６と、この導入溝１６の奥に直径が２０ｍｍ程度の円孔１７とが設けられ、これら導入溝１６及び円孔１７が図中左右対称に配置されている。
【００２９】
なお、本実施の形態の釣針外し具Ｂの使用方法は、左右の両方向で互いに円孔１７を前記実施の形態１で説明した円孔の開口部９と代えて使用すること以外は前記実施の形態１の図３で説明したものと同様であるため、その説明を省略する。
【００３０】
次に本実施の形態の釣針外し具Ｂの効果を説明する。
本実施の形態の釣針外し具Ｂは、釣針外し部材１５の導入溝１６及び円孔１７が左右対称に配置されているため、釣人が自分の利き手方向から釣糸を手繰り寄せて作業することができる。
【００３１】
さらに、円孔１７を実施の形態１で説明した円孔の開口部９として使用することで釣針外し部材の効率的なレイアウトとコストダウンが図れる。
【００３２】
以上説明してきたように、本発明の実施の形態を説明してきたが、本発明の具体的構成は本実施の形態に限定されるものではなく、発明の要旨を逸脱しない範囲の設計変更などがあっても本発明に含まれる。
例えば、前記実施の形態では、釣針外し部材を装着した釣針外し具について説明したが、釣針外し部材を取り外して別の場所に固定して使用することも可能である。
【００３３】
また、釣針外し具を構成する部材の素材、厚み、直径、及び間隔などについては適宜設定することができる。
さらに、前記実施の形態では枠体の内側に釣針外し部材を設けたが、枠体の外側に釣針外し部材を別に一つ配設し、必要のない稚魚などが釣れた場合には回収容器の外側に落下させてリリースする構成としても良い。
【００３４】
また、脚部を外して他の釣道具に設けて使用したり、複数の釣針外し部材を天板に設け、サビキ仕掛けの手前から順次釣針を外して効率的に作業を行う構成とすることもできる。
【００３５】
さらに、枠体と回収容器を一体成形したものや天板に釣用の餌箱を固着したもの、脚部にぐらつきを抑えるための固定金具を取り付けたものは当然考えられる。
【００３６】
【発明の効果】
以上説明してきたように、本発明の釣針外し具にあっては、針がかりした魚を一方の手で懸吊した状態で導入溝に釣糸を摺動させて掛止部に釣針を掛止し、釣糸を傾倒した後、開口部より釣針の軸を指で押下するだけで釣針を外すことができるため、従来と比べて魚を触ることなく子供や女性でも片手で素早く安全に釣針外しの作業ができる。
【００３７】
また、従来と比べて魚を懸吊した状態で釣針が外れるまで待つ必要がない上、作業は常に釣糸を張った状態で行うため、釣糸が魚の鰓や釣針外し具に絡むことがない。
【図面の簡単な説明】
【図１】本発明の実施の形態１の釣針外し具Ａの斜視図である。
【図２】実施の形態の釣針外し具Ａの平面図である。
【図３】実施の形態の釣針外し具Ａの正面図である。
【図４】実施の形態の釣針外し具Ａの使用方法について説明する図である。
【図５】本発明の実施の形態２の釣針外し具Ｂの平面図である。
【図６】従来の釣針外し具を説明する図である。
【符号の説明】
Ａ，Ｂ  釣針外し具
１  枠体
１ａ、１４ａ  切欠部
２  脚部
３、１４  天板
４、１５  釣針外し部材
５  回収容器
６  フック
７、１６  導入溝
８、１７  円孔
９  開口部
１０、１８  掛止部
１１  釣糸
１２  釣針
１３  釣針の軸
【図１】
0003572029.tif 000002
【図２】
0003572029.tif 000003
【図３】
0003572029.tif 000004
【図４】
0003572029.tif 000005
【図５】
0003572029.tif 000006
【図６】
0003572029.tif 000007